(57)【特許請求の範囲】
【請求項１】
インターネットプロトコルを利用して、ＩＰ電話端末の回線交換を行う複数の構内電話交換装置がＩＰネットワーク網に接続されている通信システムにおいて、上記複数の構内電話交換装置は、自装置及び他の構内電話交換装置の配下にあるＩＰ電話端末が所属しているグループを示すグループ構成表を保持しているグループ構成表保持手段と、自装置の配下にあるＩＰ電話端末から送信された１以上の音声データを合成して音声パケットを生成し、上記音声パケットを他の構内電話交換装置にマルチキャスト配信する音声パケット配信手段と、他の構内電話交換装置からマルチキャスト配信された音声パケットを受信する音声パケット受信手段と、上記グループ構成表保持手段に保持されているグループ構成表を参照して、上記音声パケット受信手段により受信された音声パケットに含まれている各音声データの送信元のＩＰ電話端末が所属しているグループを確認し、上記音声パケットに含まれている各音声データをグループ単位で分別する音声データ分別手段と、上記音声データ分別手段により分別されたグループ単位の音声データを当該グループに所属している自装置の配下にあるＩＰ電話端末に送信する音声データ送信手段とを備えていることを特徴とする通信システム。
【請求項２】
自装置の配下にあるＩＰ電話端末から送信された音声データを一時的に格納する音声データ格納手段を設け、音声データ送信手段が音声データ分別手段により分別されたグループ単位の音声データを当該グループに所属している自装置の配下にあるＩＰ電話端末に送信する際、上記音声データ格納手段に格納されている音声データが当該グループに所属しているＩＰ電話端末から送信された音声データであれば、送信元のＩＰ電話端末を除く当該グループに所属しているＩＰ電話端末に対して上記音声データを一緒に送信することを特徴とする請求項１記載の通信システム。
【請求項３】
音声データ送信手段は、音声データ分別手段により分別されたグループ単位の音声データが、自装置の配下にある何れのＩＰ電話端末も所属していないグループに係る音声データであれば、上記音声データを破棄することを特徴とする請求項１または請求項２記載の通信システム。
【請求項４】
複数の構内電話交換装置の配下にあるＩＰ電話端末の中に、無線ＬＡＮアクセスポイントと無線で接続されている無線ＩＰ電話機が含まれていることを特徴とする請求項１から請求項３のうちのいずれか１項記載の通信システム。
【請求項５】
複数の構内電話交換装置の配下にあるＩＰ電話端末の中に、発呼機能を備えていないＩＰ電話端末が含まれていることを特徴とする請求項１から請求項３のうちのいずれか１項記載の通信システム。
【請求項６】
自装置及び他の構内電話交換装置の配下にあるＩＰ電話端末が所属しているグループを示すグループ構成表を保持しているグループ構成表保持手段と、自装置の配下にあるＩＰ電話端末から送信された１以上の音声データを合成して音声パケットを生成し、上記音声パケットを他の構内電話交換装置にマルチキャスト配信する音声パケット配信手段と、他の構内電話交換装置からマルチキャスト配信された音声パケットを受信する音声パケット受信手段と、上記グループ構成表保持手段に保持されているグループ構成表を参照して、上記音声パケット受信手段により受信された音声パケットに含まれている各音声データの送信元のＩＰ電話端末が所属しているグループを確認し、上記音声パケットに含まれている各音声データをグループ単位で分別する音声データ分別手段と、上記音声データ分別手段により分別されたグループ単位の音声データを当該グループに所属している自装置の配下にあるＩＰ電話端末に送信する音声データ送信手段とを備えた構内電話交換装置。
【請求項７】
自装置の配下にあるＩＰ電話端末から送信された音声データを一時的に格納する音声データ格納手段を設け、音声データ送信手段が音声データ分別手段により分別されたグループ単位の音声データを当該グループに所属している自装置の配下にあるＩＰ電話端末に送信する際、上記音声データ格納手段に格納されている音声データが当該グループに所属しているＩＰ電話端末から送信された音声データであれば、送信元のＩＰ電話端末を除く当該グループに所属しているＩＰ電話端末に対して上記音声データを一緒に送信することを特徴とする請求項６記載の構内電話交換装置。
【請求項８】
音声データ送信手段は、音声データ分別手段により分別されたグループ単位の音声データが、自装置の配下にある何れのＩＰ電話端末も所属していないグループに係る音声データであれば、上記音声データを破棄することを特徴とする請求項６または請求項７記載の構内電話交換装置。
【発明の詳細な説明】
【技術分野】
【０００１】
この発明は、インターネットプロトコル（以下、「ＩＰ」と称する）を利用して、ＩＰ電話端末の回線交換を行う複数の構内電話交換装置（以下、「ＩＰ−ＰＢＸ」と称する）を利用して、広範囲なグループ会議を実現する通信システムに関するものである。
【背景技術】
【０００２】
インターネットの利用者が増加し、ＩＰ通信のインフラも充実している今日では、電話会社だけでなく、インターネットサービスプロバイダであるＩＳＰなどが、ＩＰネットワーク網を利用する様々なＶｏＩＰ通信サービスを提供している。
ＶｏＩＰ通信は基本的に時間に依存することなく、無料の通信、或いは、定額の通信を構築することが容易であるため、ＶｏＩＰ通信を利用する会議が頻繁に行われるようになっている。
【０００３】
例えば、以下の特許文献１には、ＩＰネットワーク網にぶら下がっている複数のＩＰ電話端末から送信された音声データが会議トランクに集約されて、会議グループ毎に音声パケットが生成された後、その会議トランクが音声パケットを各会議グループに所属している配信先のＩＰ電話端末に送信することで、ＶｏＩＰ会議グループ通信を実現している通信システムが開示されている。
【０００４】
【特許文献１】特開２０００−３４９７５６号公報（段落番号［０００５］、図１）
【発明の開示】
【発明が解決しようとする課題】
【０００５】
従来の通信システムは以上のように構成されているので、複数のＩＰ電話端末から送信された音声データが会議トランクに集約される関係上、ＩＰネットワーク網にぶら下がっているＩＰ電話端末の台数が増加すると、会議トランクの負荷が過大になり、パケットロスやジッタの発生を招くことがあるなどの課題があった。
【０００６】
この発明は上記のような課題を解決するためになされたもので、ＩＰ電話端末の台数が増加しても、ＩＰネットワーク網におけるトラフィックの集中を抑制して、パケットロスやジッタの発生を抑えることができる通信システム及び構内電話交換装置を得ることを目的とする。
【課題を解決するための手段】
【０００７】
この発明に係る通信システムは、自装置の配下にあるＩＰ電話端末から送信された１以上の音声データを合成して音声パケットを生成し、その音声パケットを他の構内電話交換装置にマルチキャスト配信する音声パケット配信手段と、他の構内電話交換装置からマルチキャスト配信された音声パケットを受信する音声パケット受信手段と、グループ構成表保持手段に保持されているグループ構成表を参照して、その音声パケット受信手段により受信された音声パケットに含まれている各音声データの送信元のＩＰ電話端末が所属しているグループを確認し、その音声パケットに含まれている各音声データをグループ単位で分別する音声データ分別手段とを設け、音声データ送信手段が音声データ分別手段により分別されたグループ単位の音声データを当該グループに所属している自装置の配下にあるＩＰ電話端末に送信するようにしたものである。
【発明の効果】
【０００８】
この発明によれば、自装置の配下にあるＩＰ電話端末から送信された１以上の音声データを合成して音声パケットを生成し、その音声パケットを他の構内電話交換装置にマルチキャスト配信する音声パケット配信手段と、他の構内電話交換装置からマルチキャスト配信された音声パケットを受信する音声パケット受信手段と、グループ構成表保持手段に保持されているグループ構成表を参照して、その音声パケット受信手段により受信された音声パケットに含まれている各音声データの送信元のＩＰ電話端末が所属しているグループを確認し、その音声パケットに含まれている各音声データをグループ単位で分別する音声データ分別手段とを設け、音声データ送信手段が音声データ分別手段により分別されたグループ単位の音声データを当該グループに所属している自装置の配下にあるＩＰ電話端末に送信するように構成したので、ＩＰ電話端末の台数が増加しても、ＩＰネットワーク網におけるトラフィックの集中を抑制して、パケットロスやジッタの発生を抑えることができる効果がある。
【発明を実施するための最良の形態】
【０００９】
実施の形態１．
図１はこの発明の実施の形態１による通信システムを示す構成図であり、図において、ＩＰ−ＰＢＸ１n（ｎ＝１，２，３，・・・，Ｎ）はＩＰネットワーク網２に接続されており、ＩＰを利用してＩＰ電話端末の回線交換を行う構内電話交換装置である。
ＨＵＢ３は複数台のＩＰ電話端末４m（ｍ＝１，２，３，・・・，Ｍ）をＩＰ−ＰＢＸ１1に収容するスイッチング機器である。
図１の例では、図面の簡単化のため、ＨＵＢ３がＩＰ−ＰＢＸ１1にのみ接続されているが、ＩＰ−ＰＢＸ１n（ｎ＝２，３，・・・，Ｎ）にも同様のＨＵＢ３が接続されて、複数台のＩＰ電話端末４mがＩＰ−ＰＢＸ１nに収容されている。
【００１０】
ＩＰ電話端末４1，４3はａグループに所属しているＩＰ電話端末であり、ＩＰ電話端末４2，４5はｂグループに所属しているＩＰ電話端末であり、ＩＰ電話端末４4，４6はｃグループに所属しているＩＰ電話端末である。
図１では、６台のＩＰ電話端末４mがＩＰ−ＰＢＸ１1に収容されている例を示しているが、これに限るものではなく、５台以下のＩＰ電話端末４m、または、７台以上のＩＰ電話端末４mがＩＰ−ＰＢＸ１1に収容されていてもよい。
【００１１】
図２はＩＰ−ＰＢＸ１nの内部を示す構成図であり、図において、グループ構成表保持部１１は自装置の配下にあるＩＰ電話端末４mが所属しているグループを示すグループ構成表（例えば、自装置がＩＰ−ＰＢＸ１1である場合、ＩＰ電話端末４1〜４6が所属しているグループを示すグループ構成表であり、以降、「自局内グループ構成表」と称する）を保持し、また、グループ構成表受信部１４により受信されたグループ構成表（例えば、自装置がＩＰ−ＰＢＸ１1である場合、ＩＰ−ＰＢＸ１2〜１Nの配下にあるＩＰ電話端末４mが所属しているグループを示すグループ構成表であり、以降、「他局内グループ構成表」と称する）を保持しているメモリである。なお、グループ構成表保持部１１はグループ構成表保持手段を構成している。
【００１２】
グループ構成表送信部１２はグループ会議を開始する前に、グループ構成表保持部１１に保持されている自局内グループ構成表をネットワークＩ／Ｆ部１３に出力することにより、自局内グループ構成表をＩＰネットワーク網２経由で他のＩＰ−ＰＢＸ１nに配信する処理を実施する。
ネットワークＩ／Ｆ部１３はＩＰネットワーク網２に対するインタフェースであり、他のＩＰ−ＰＢＸ１nと音声パケットやグループ構成表などを送受信する処理を実施する。
グループ構成表受信部１４はグループ会議を開始する前に、ネットワークＩ／Ｆ部１３を介して、他のＩＰ−ＰＢＸ１nから送信された他局内グループ構成表を受信し、その他局内グループ構成表をグループ構成表保持部１１に格納する処理を実施する。
【００１３】
音声データ収集部１５は自装置の配下にあるＩＰ電話端末（例えば、自装置がＩＰ−ＰＢＸ１1である場合、ＩＰ電話端末４1〜４6）から送信された１以上の音声データを受信する処理を実施する。
音声データ加算部１６は音声データ収集部１５により受信された音声データのうち、同一グループに所属するＩＰ電話端末４mから送信された音声データ同士を加算して音声パケットを生成する処理を実施する。
例えば、自装置がＩＰ−ＰＢＸ１1である場合、ａグループに所属しているＩＰ電話端末４1，４3から送信された音声データを加算して音声パケットａ1を生成し、また、ｂグループに所属しているＩＰ電話端末４2，４5から送信された音声データを加算して音声パケットｂ1を生成し、また、ｃグループに所属しているＩＰ電話端末４4，４6から送信された音声データを加算して音声パケットｃ1を生成する。
【００１４】
音声パケット多重化部１７は例えば自装置がＩＰ−ＰＢＸ１1である場合、音声データ加算部１６により生成された音声パケットａ1，ｂ1，ｃ1を多重化して、多重化音声パケットａ1＋ｂ1＋ｃ1をネットワークＩ／Ｆ部１３に出力することにより、多重化音声パケットａ1＋ｂ1＋ｃ1をＩＰネットワーク網２経由で他のＩＰ−ＰＢＸ１2〜１Nにマルチキャスト配信する処理を実施する。
なお、音声データ収集部１５、音声データ加算部１６及び音声パケット多重化部１７から音声パケット配信手段が構成されている。
【００１５】
音声データ格納部１８は音声データ収集部１５により受信された音声データを一時的に格納するメモリである。なお、音声データ格納部１８は音声データ格納手段を構成している。
音声パケット受信部１９は例えば自装置がＩＰ−ＰＢＸ１1である場合、ネットワークＩ／Ｆ部１３を介して、他のＩＰ−ＰＢＸ１2〜１Nからマルチキャスト配信された多重化音声パケットａ2〜ｄ2，ａ3〜ｄ3，・・・，ａN〜ｄNを受信する処理を実施する。なお、音声パケット受信部１９は音声パケット受信手段を構成している。
【００１６】
音声データ分別部２０はグループ構成表保持部１１に保持されているグループ構成表を参照して、音声パケット受信部１９により受信された多重化音声パケットａ2〜ｄ2，ａ3〜ｄ3，・・・，ａN〜ｄNに含まれている各音声データの送信元のＩＰ電話端末４mが所属しているグループを確認し、その多重化音声パケットａ2〜ｄ2，ａ3〜ｄ3，・・・，ａN〜ｄNに含まれている各音声データをグループ単位で分別する処理を実施する。なお、音声データ分別部２０は音声データ分別手段を構成している。
例えば、多重化音声パケットａ2〜ｄ2，ａ3〜ｄ3，・・・，ａN〜ｄNに含まれている各音声データをａグループの音声データａ2〜ａN、ｂグループの音声データｂ2〜ｂN、ｃグループの音声データｃ2〜ｃN、ｄグループの音声データｄ2〜ｄNに分別する処理を実施する。
【００１７】
音声データ送信部２１は例えば自装置がＩＰ−ＰＢＸ１1である場合、音声データ分別部２０により分別されたａグループの音声データをａグループに所属しているＩＰ電話端末４1，４3に送信し、ｂグループの音声データをｂグループに所属しているＩＰ電話端末４2，４5に送信し、ｃグループの音声データをｃグループに所属しているＩＰ電話端末４4，４6に送信する処理を実施する。また、音声データ分別部２０により分別されたグループ単位の音声データを送信する際、音声データ格納部１８に一時的に格納されている音声データも一緒にＩＰ電話端末に送信する処理を実施する。
ただし、音声データ送信部２１はＩＰ−ＰＢＸ１1の配下にある何れのＩＰ電話端末４1〜４6もｄグループに所属していないので、ｄグループの音声データｄ2〜ｄNについては破棄する。
なお、音声データ送信部２１は音声データ送信手段を構成している。
【００１８】
図３はＩＰ−ＰＢＸ１1がＩＰ電話端末４1〜４6の音声データから音声パケットを生成して他のＩＰ−ＰＢＸ１2〜１Nにマルチキャスト配信する処理を示す説明図である。
また、図４はＩＰ−ＰＢＸ１1が他のＩＰ−ＰＢＸ１2〜１Nからマルチキャスト配信された音声パケットを受信して音声データをＩＰ電話端末４1〜４6に送信する処理を示す説明図である。
【００１９】
次に動作について説明する。
この実施の形態１では、説明の便宜上、ＩＰ−ＰＢＸ１1には会議グループとして、ａグループに所属しているＩＰ電話端末４1，４3と、ｂグループに所属しているＩＰ電話端末４2，４5と、ｃグループに所属しているＩＰ電話端末４4，４6とが存在しているものとする。
また、他のＩＰ−ＰＢＸ１2〜１Nには、共通の会議グループが存在しているものとする。即ち、ａグループに所属しているＩＰ電話端末４7，４8と、ｂグループに所属しているＩＰ電話端末４9と、ｃグループに所属しているＩＰ電話端末４10，４11と、ｄグループに所属しているＩＰ電話端末４12，４13とが存在しているものとする。
【００２０】
ＩＰ−ＰＢＸ１1のグループ構成表保持部１１には、以下に示すような自局内グループ構成表が保持されている。
自局内グループ構成表
ａ  ：  ＩＰ電話端末４1，４3
ｂ  ：  ＩＰ電話端末４2，４5
ｃ  ：  ＩＰ電話端末４4，４6
【００２１】
ＩＰ−ＰＢＸ１1のグループ構成表送信部１２は、グループ会議を開始する前に、グループ構成表保持部１１に保持されている自局内グループ構成表をネットワークＩ／Ｆ部１３に出力することにより、自局内グループ構成表をＩＰネットワーク網２経由で他のＩＰ−ＰＢＸ１2〜１Nに配信する。
他のＩＰ−ＰＢＸ１2〜１Nのグループ構成表送信部１２も、ＩＰ−ＰＢＸ１1と同様に、グループ会議を開始する前に、グループ構成表保持部１１に保持されている自局内グループ構成表（ＩＰ−ＰＢＸ１1から見ると、他局内グループ構成表）をネットワークＩ／Ｆ部１３に出力することにより、ＩＰネットワーク網２経由で、自局内グループ構成表を他のＩＰ−ＰＢＸに配信する。
【００２２】
ＩＰ−ＰＢＸ１1のグループ構成表受信部１４は、グループ会議を開始する前に、ネットワークＩ／Ｆ部１３を介して、他のＩＰ−ＰＢＸ１nから送信された他局内グループ構成表を受信し、その他局内グループ構成表をグループ構成表保持部１１に格納する。
これにより、ＩＰ−ＰＢＸ１1のグループ構成表保持部１１には、自局内グループ構成表のほかに、以下に示すような他局内グループ構成表が保持される。
他局内グループ構成表
ａ  ：  ＩＰ電話端末４7，４8
ｂ  ：  ＩＰ電話端末４9
ｃ  ：  ＩＰ電話端末４10，４11
ｄ  ：  ＩＰ電話端末４12，４13
【００２３】
ＩＰ−ＰＢＸ１1の音声データ収集部１５は、配下のＩＰ電話端末４1〜４6から送信された１以上の音声データを受信し（図３のステップＳＴ１）、それらの音声データを音声データ加算部１６に出力するとともに、それらの音声データを音声データ格納部１８に一時的に格納する。
ＩＰ−ＰＢＸ１1の音声データ加算部１６は、音声データ収集部１５から１以上の音声データを受けると、グループ構成表保持部１１に保持されている自局内グループ構成表を参照して、配下のＩＰ電話端末４1〜４6が所属しているグループを確認する。
そして、音声データ加算部１６は、音声データ収集部１５から出力された１以上の音声データのうち、同一グループに所属するＩＰ電話端末４mから送信された音声データ同士を加算して、音声パケットを生成する（ステップＳＴ２）。
【００２４】
例えば、ａグループに所属しているＩＰ電話端末４1，４3から送信された音声データを加算して音声パケットａ1を生成する。
このとき、ＩＰ電話端末４1からだけ音声データが送信され、ＩＰ電話端末４3から音声データが送信されてこない場合でも、ＩＰ電話端末４1の音声データとＩＰ電話端末４3の音声データ（予め設定されているデフォルトの音声データであり、例えば、無音の音声データ）を加算して音声パケットａ1を生成する。
同様に、ｂグループに所属しているＩＰ電話端末４2，４5から送信された音声データを加算して音声パケットｂ1を生成し、また、ｃグループに所属しているＩＰ電話端末４4，４6から送信された音声データを加算して音声パケットｃ1を生成する。
【００２５】
ＩＰ−ＰＢＸ１1の音声パケット多重化部１７は、音声データ加算部１６が音声パケットａ1，ｂ1，ｃ1を生成すると、その音声パケットａ1，ｂ1，ｃ1を多重化して、多重化音声パケットａ1＋ｂ1＋ｃ1を生成する（ステップＳＴ３）。
そして、音声パケット多重化部１７は、その多重化音声パケットａ1＋ｂ1＋ｃ1をネットワークＩ／Ｆ部１３に出力することにより、その多重化音声パケットａ1＋ｂ1＋ｃ1をＩＰネットワーク網２経由で他のＩＰ−ＰＢＸ１2〜１Nにマルチキャスト配信する（ステップＳＴ４）。
【００２６】
ＩＰ−ＰＢＸ１1の音声パケット受信部１９は、他のＩＰ−ＰＢＸ１2〜１NがＩＰ−ＰＢＸ１1と同様にして、多重化音声パケットａ2〜ｄ2，ａ3〜ｄ3，・・・，ａN〜ｄNをマルチキャスト配信すると、ネットワークＩ／Ｆ部１３を介して、他のＩＰ−ＰＢＸ１2〜１Nからマルチキャスト配信された多重化音声パケットａ2〜ｄ2，ａ3〜ｄ3，・・・，ａN〜ｄNを受信する（図４のステップＳＴ１１）。
【００２７】
ＩＰ−ＰＢＸ１1の音声データ分別部２０は、音声パケット受信部１９が多重化音声パケットａ2〜ｄ2，ａ3〜ｄ3，・・・，ａN〜ｄNを受信すると、グループ構成表保持部１１に保持されている他局内グループ構成表を参照して、他のＩＰ−ＰＢＸ１2〜１Nの配下にあるＩＰ電話端末４7〜４13が所属しているグループを確認する（ステップＳＴ１２）。
そして、音声データ分別部２０は、多重化音声パケットａ2〜ｄ2，ａ3〜ｄ3，・・・，ａN〜ｄNに含まれている各音声データをグループ単位で分別する（ステップＳＴ１３）。
【００２８】
即ち、音声データ分別部２０は、多重化音声パケットａ2〜ｄ2，ａ3〜ｄ3，・・・，ａN〜ｄNに含まれている各音声データのうち、ａグループに所属していることが確認されたＩＰ電話端末４7，４8が送信元の音声データａ2〜ａNについては、ａグループの音声データａ2〜ａNとして分別する。
同様に、ｂグループに所属していることが確認されたＩＰ電話端末４9が送信元の音声データｂ2〜ｂNについては、ｂグループの音声データｂ2〜ｂNとして分別する。
また、ｃグループに所属していることが確認されたＩＰ電話端末４10，４11が送信元の音声データｃ2〜ｃNについては、ｃグループの音声データｃ2〜ｃNとして分別する。
また、ｄグループに所属していることが確認されたＩＰ電話端末４12，４13が送信元の音声データｄ2〜ｄNについては、ｄグループの音声データｄ2〜ｄNとして分別する。
【００２９】
ＩＰ−ＰＢＸ１1の音声データ送信部２１は、音声データ分別部２０が多重化音声パケットａ2〜ｄ2，ａ3〜ｄ3，・・・，ａN〜ｄNに含まれている各音声データをグループ単位で分別すると、グループ構成表保持部１１に保持されている自局内グループ構成表を参照して、ＩＰ−ＰＢＸ１1の配下にあるＩＰ電話端末４1〜４6が所属しているグループを確認する（ステップＳＴ１４）。
そして、音声データ送信部２１は、ａグループに所属していることが確認されたＩＰ電話端末４1，４3宛の音声データとして、音声データ分別部２０により分別されたａグループの音声データａ2〜ａNを割り当てるようにする（ステップＳＴ１５）。
【００３０】
また、音声データ格納部１８に一時的に格納されている音声データのうち、ａグループに所属しているＩＰ電話端末４1，４3が送信元の音声データがあれば、ＩＰ電話端末４1宛の音声データとして、さらに、音声データ格納部１８に一時的に格納されているＩＰ電話端末４3が送信元の音声データを割り当てるようにする（ステップＳＴ１５）。
同様に、ＩＰ電話端末４3宛の音声データとして、音声データ格納部１８に一時的に格納されているＩＰ電話端末４1が送信元の音声データを割り当てるようにする（ステップＳＴ１５）。
これにより、ＩＰ電話端末４1宛の音声データは“ａ2，ａ3，・・・，ａN，ａ1（送信元がＩＰ電話端末４1の音声データを除く）”になり、ＩＰ電話端末４3宛の音声データは“ａ2，ａ3，・・・，ａN，ａ1（送信元がＩＰ電話端末４3の音声データを除く）”になる。
【００３１】
ｂグループに所属していることが確認されたＩＰ電話端末４2，４5宛の音声データについては、音声データ分別部２０により分別されたｂグループの音声データｂ2〜ｂNが割り当てられる。
また、音声データ格納部１８に一時的に格納されている音声データのうち、ｂグループに所属しているＩＰ電話端末４2，４5が送信元の音声データがあれば、ＩＰ電話端末４2宛の音声データとして、さらに、音声データ格納部１８に一時的に格納されているＩＰ電話端末４5が送信元の音声データが割り当てられる。また、ＩＰ電話端末４5宛の音声データとして、音声データ格納部１８に一時的に格納されているＩＰ電話端末４2が送信元の音声データが割り当てられる（ステップＳＴ１５）。
これにより、ＩＰ電話端末４2宛の音声データは“ｂ2，ｂ3，・・・，ｂN，ｂ1（送信元がＩＰ電話端末４2の音声データを除く）”になり、ＩＰ電話端末４5宛の音声データは“ｂ2，ｂ3，・・・，ｂN，ｂ1（送信元がＩＰ電話端末４5の音声データを除く）”になる。
【００３２】
ｃグループに所属していることが確認されたＩＰ電話端末４4，４6宛の音声データについては、音声データ分別部２０により分別されたｃグループの音声データｃ2〜ｃNが割り当てられる（ステップＳＴ１５）。
また、音声データ格納部１８に一時的に格納されている音声データのうち、ｃグループに所属しているＩＰ電話端末４4，４6が送信元の音声データがあれば、ＩＰ電話端末４4宛の音声データとして、さらに、音声データ格納部１８に一時的に格納されているＩＰ電話端末４6が送信元の音声データが割り当てられる。また、ＩＰ電話端末４6宛の音声データとして、音声データ格納部１８に一時的に格納されているＩＰ電話端末４4が送信元の音声データが割り当てられる（ステップＳＴ１５）。
これにより、ＩＰ電話端末４4宛の音声データは“ｃ2，ｃ3，・・・，ｃN，ｃ1（送信元がＩＰ電話端末４4の音声データを除く）”になり、ＩＰ電話端末４6宛の音声データは“ｃ2，ｃ3，・・・，ｃN，ｃ1（送信元がＩＰ電話端末４6の音声データを除く）”になる。
【００３３】
ＩＰ−ＰＢＸ１1の音声データ送信部２１は、上記のようにして、配下にあるＩＰ電話端末４1〜４6宛の音声データを割り当てると、その割り当てた音声データをＩＰ電話端末４1〜４6に送信する（ステップＳＴ１６）。
ただし、音声データ送信部２１は、ＩＰ−ＰＢＸ１1の配下にある何れのＩＰ電話端末４1〜４6もｄグループに所属していないので、音声データ分別部２０により分別されたｄグループの音声データｄ2〜ｄNについては破棄する。
【００３４】
以上で明らかなように、この実施の形態１によれば、ＩＰ−ＰＢＸ１1の配下にあるＩＰ電話端末４1〜４6から送信された１以上の音声データを合成して音声パケットを生成する音声データ加算部１６と、音声データ加算部１６により生成された音声パケットを多重化して、多重化音声パケットを他のＩＰ−ＰＢＸ１2〜１Nにマルチキャスト配信する音声パケット多重化部１７と、他のＩＰ−ＰＢＸ１2〜１Nからマルチキャスト配信された音声パケットを受信する音声パケット受信部１９と、グループ構成表保持部１１に保持されている他局内グループ構成表を参照して、その音声パケット受信部１９により受信された音声パケットに含まれている各音声データの送信元のＩＰ電話端末が所属しているグループを確認し、その音声パケットに含まれている各音声データをグループ単位で分別する音声データ分別部２０とを設け、音声データ送信部２１が音声データ分別部２０により分別されたグループ単位の音声データを当該グループに所属しているＩＰ−ＰＢＸ１1の配下にあるＩＰ電話端末４1〜４6に送信するように構成したので、ＩＰ電話端末の台数が増加しても、ＩＰネットワーク網におけるトラフィックの集中を抑制して、パケットロスやジッタの発生を抑えることができる効果を奏する。
【００３５】
即ち、各ＩＰ−ＰＢＸ１1〜１Nが独自に配下のＩＰ電話端末の音声データから音声パケットを生成して、その音声パケットを他のＩＰ−ＰＢＸにマルチキャスト配信する一方、他のＩＰ−ＰＢＸからマルチキャスト配信された音声パケットに含まれている各音声データをグループ単位で分別して、そのグループ単位の音声データを当該グループに所属しているＩＰ−ＰＢＸ１1の配下にあるＩＰ電話端末４1〜４6に送信するように構成したので、各ＩＰ−ＰＢＸ１1〜１Nの配下にあるＩＰ電話端末の台数が増加しても、従来例のように、１つの会議トランクにＩＰ電話端末の音声データが集約されることがない。このため、ＩＰ電話端末の台数が増加しても、ＩＰネットワーク網２におけるトラフィックの集中が抑制され、パケットロスやジッタの発生を抑えることができる。
【００３６】
また、この実施の形態１によれば、ＩＰ−ＰＢＸ１1の配下にあるＩＰ電話端末４1〜４6から送信された音声データを一時的に格納する音声データ格納部１８を設け、音声データ送信部２１が音声データ分別部２０により分別されたグループ単位の音声データを当該グループに所属しているＩＰ−ＰＢＸ１1の配下にあるＩＰ電話端末に送信する際、音声データ格納部１８に格納されている音声データが当該グループに所属しているＩＰ電話端末から送信された音声データであれば、送信元のＩＰ電話端末を除く当該グループに所属しているＩＰ電話端末に対して上記音声データを一緒に送信するように構成したので、広範囲なグループ会議を実現することができる効果を奏する。
【００３７】
また、この実施の形態１によれば、音声データ分別部２０により分別されたグループ単位の音声データが、ＩＰ−ＰＢＸ１1の配下にある何れのＩＰ電話端末も所属していないグループに係る音声データであれば、その音声データを破棄するように構成したので、不要な会議グループの音声処理を行う必要がなくなり、グループ会議の音声処理性能が高められる効果を奏する。
【００３８】
実施の形態２．
上記実施の形態１では、ＩＰ−ＰＢＸ１1〜１Nの配下にあるＩＰ電話端末４mがＨＵＢ３と有線で接続されているものについて示したが、ＩＰ電話端末４mが必ずしも有線で接続されている必要はなく、例えば、無線ＬＡＮアクセスポイントと無線で接続されている無線ＩＰ電話機（ＩＰ電話端末）が、その無線ＬＡＮアクセスポイントを介してＩＰ−ＰＢＸ１1〜１Nと接続されていてもよい。
【００３９】
実施の形態３．
上記実施の形態１では、特に言及していないが、ＩＰ−ＰＢＸ１1〜１Nの配下にあるＩＰ電話端末４mの中に、発呼機能を備えていないＩＰ電話端末が含まれていてもよい。
即ち、ＩＰ電話端末がＩＰアドレスを有していれば、ＩＰ−ＰＢＸ１1〜１Nが当該ＩＰ電話端末に対してアクセスすることができるので、そのＩＰ電話端末が必ずしも発呼機能を備えていなくてもよい。
【図面の簡単な説明】
【００４０】
【図１】この発明の実施の形態１による通信システムを示す構成図である。
【図２】この発明の実施の形態１による構内電話交換装置の内部を示す構成図である。
【図３】ＩＰ−ＰＢＸ１1がＩＰ電話端末４1〜４6の音声データから音声パケットを生成して他のＩＰ−ＰＢＸ１2〜１Nにマルチキャスト配信する処理を示す説明図である。
【図４】ＩＰ−ＰＢＸ１1が他のＩＰ−ＰＢＸ１2〜１Nからマルチキャスト配信された音声パケットを受信して音声データをＩＰ電話端末４1〜４6に送信する処理を示す説明図である。
【符号の説明】
【００４１】
１n，１1〜１N  ＩＰ−ＰＢＸ（構内電話交換装置）、２  ＩＰネットワーク網、３  ＨＵＢ、  ４m，４1〜４6  ＩＰ電話端末、１１  グループ構成表保持部（グループ構成表保持手段）、１２  グループ構成表送信部、１３  ネットワークＩ／Ｆ部、１４  グループ構成表受信部、１５  音声データ収集部（音声パケット配信手段）、１６  音声データ加算部（音声パケット配信手段）、１７  音声パケット多重化部（音声パケット配信手段）、１８  音声データ格納部（音声データ格納手段）、１９  音声パケット受信部（音声パケット受信手段）、２０  音声データ分別部（音声データ分別手段）、２１  音声データ送信部（音声データ送信手段）。
【図１】
0004510110.tif 000002
【図２】
0004510110.tif 000003
【図３】
0004510110.tif 000004
【図４】
0004510110.tif 000005